(57)【要約】【課題】棚板を安定して支持できる棚装置を提供する。【解決手段】前面に係止孔７，７，…を有する左右一対の支柱２，２と、係止孔７，７，…に係止可能なフック５２ｅ，５２ｅ，…を有する一対のブラケット５２，５２と、一対のブラケット５２，５２の前端側を相互に連結する連結部材５３と、一対のブラケット５２，５２に載置される棚板５１と、を備える棚装置１であって、連結部材５３には、貫通孔５３ａ，５３ａが形成されており、一対のブラケット５２，５２には、貫通孔５３ａ，５３ａに挿通される挿通片５２ｄ，５２ｄが設けられており、挿通片５２ｄ，５２ｄを貫通孔５３ａ，５３ａに挿通した状態で挿通片５２ｄ，５２ｄと連結部材５３とを固定する固定手段１０，１１を備えている。【選択図】図９
2019054984.tif 000002
【特許請求の範囲】
【請求項１】
前面に係止孔を有する左右一対の支柱と、前記係止孔に係止可能なフックを有する一対のブラケットと、一対の前記ブラケットの前端側を相互に連結する連結部材と、一対の前記ブラケットに載置される棚板と、を備える棚装置であって、
前記連結部材には、貫通孔が形成されており、一対の前記ブラケットには、前記貫通孔に挿通される挿通片が設けられており、
前記挿通片を前記貫通孔に挿通した状態で該挿入片と前記連結部材とを固定する固定手段を備えていることを特徴とする棚装置。
【請求項２】
前記挿通片は、左右方向に延設され、かつ前記ブラケットにおける前後方向に延びる垂直面に対して傾斜していることを特徴とする請求項１に記載の棚装置。
【請求項３】
前記挿通片と前記連結部材とは、ネジにより締結されることを特徴とする請求項１または２に記載の棚装置。
【請求項４】
前記挿通片と前記連結部材とには、前記ネジを挿通可能な挿通孔がそれぞれ設けられていることを特徴とする請求項３に記載の棚装置。
【請求項５】
前記挿通片は、前記ブラケットから屈曲して延びる屈曲片を介して延設されていることを特徴とする請求項１ないし４のいずれかに記載の棚装置。
【請求項６】
前面に係止孔を有する左右一対の支柱と、前記係止孔に係止可能なフックを有する一対のブラケットと、一対の前記ブラケットの前端側を相互に連結する連結部材と、一対の前記ブラケットに載置される棚板と、を備える棚装置であって、
一対の前記ブラケットには、貫通孔が形成されており、前記連結部材の両端部には、前記貫通孔に挿通される挿通片が設けられており、
前記挿通片を前記貫通孔に挿通した状態で該挿入片と前記ブラケットとを固定する固定手段を備えていることを特徴とする棚装置。
【発明の詳細な説明】
【技術分野】
【０００１】
本発明は、物品を陳列する棚装置に関する。
【背景技術】
【０００２】
従来の棚装置は、前面にスリットが複数配置された支柱と、スリットに係止されるフックを有する左右一対のブラケットと、一対のブラケット上に載置される棚板とを備え、該棚板の上に商品を陳列できるようにしたものが一般的に知られている。
【０００３】
また、左右一対のブラケットに載置される棚板が前後にスライド移動可能に取付けられている棚装置もある。この棚装置は、左右一対のブラケットの前端部にそれぞれ貫通孔が設けられ、左右に延びる連結部材の両端に設けられるフックを貫通孔に貫通・係止させることで、左右一対のブラケットの前端部間に連結部材が架設されている。これによれば、前後にスライドする棚板を支持する左右一対のブラケットによる支持構造を簡単に補強できるようになっている。（例えば、特許文献１参照）
【先行技術文献】
【特許文献】
【０００４】
【特許文献１】特開２００２−１２５７７０号公報（第４頁、第３図）
【発明の概要】
【発明が解決しようとする課題】
【０００５】
しかしながら、特許文献１の棚装置にあっては、連結部材のフックを左右一対のブラケットの貫通孔に係止させる構成であるため、前後にスライドする棚板を支持する左右一対のブラケットによる支持構造を簡単に補強できるものの、連結部材のフックはブラケットの貫通孔に間隙も持って遊嵌されているため棚板を前後にスライドさせる際の振動などにより連結部材が一対のブラケットに対して相対的に移動してしまい、がたつきが生じる虞があった。
【０００６】
本発明は、このような問題点に着目してなされたもので、棚板を安定して支持できる棚装置を提供することを目的とする。
【課題を解決するための手段】
【０００７】
前記課題を解決するために、本発明の棚装置は、
前面に係止孔を有する左右一対の支柱と、前記係止孔に係止可能なフックを有する一対のブラケットと、一対の前記ブラケットの前端側を相互に連結する連結部材と、一対の前記ブラケットに載置される棚板と、を備える棚装置であって、
前記連結部材には、貫通孔が形成されており、一対の前記ブラケットには、前記貫通孔に挿通される挿通片が設けられており、
前記挿通片を前記貫通孔に挿通した状態で該挿通片と前記連結部材とを固定する固定手段を備えていることを特徴としている。
この特徴によれば、挿通片が貫通孔に挿入されることで、一対のブラケットと連結部材とが仮固定され、その状態で挿通片と連結部材とが固定手段で固定されることにより、一対のブラケットと連結部材との角部が簡便に且つ強固に連結されるため、棚板を安定して支持できる。
【０００８】
前記挿通片は、左右方向に延設され、かつ前記ブラケットにおける前後方向に延びる垂直面に対して傾斜していることを特徴としている。
この特徴によれば、連結部材に挿通片が固定されることにより挿通片と連結部材とが近接されることに伴い、一対のブラケットが回転され、連結部材に一対のブラケットが圧接されるため、一対のブラケットと連結部材との角部が強固に連結される。
【０００９】
前記挿通片と前記連結部材とは、ネジにより締結されることを特徴としている。
この特徴によれば、ネジによる締結力により挿通片と連結部材とが近づくため、簡素な構造で連結部材に一対のブラケットを圧接させることができる。
【００１０】
前記挿通片と前記連結部材とには、前記ネジを挿通可能な挿通孔がそれぞれ設けられていることを特徴としている。
この特徴によれば、挿通片と連結部材とにそれぞれ設けられた挿通孔を合わせた状態でネジを挿通し緊締することで連結部材と一対のブラケットとの接続位置を決めることができる。
【００１１】
前記挿通片は、前記ブラケットから屈曲して延びる屈曲片を介して延設されていることを特徴としている。
この特徴によれば、挿通片を貫通孔に挿入し、ブラケットを回転させることで、ブラケットと連結部材とを簡便に仮固定することができる。
【００１２】
前面に係止孔を有する左右一対の支柱と、前記係止孔に係止可能なフックを有する一対のブラケットと、一対の前記ブラケットの前端側を相互に連結する連結部材と、一対の前記ブラケットに載置される棚板と、を備える棚装置であって、
一対の前記ブラケットには、貫通孔が形成されており、前記連結部材の両端部には、前記貫通孔に挿通される挿通片が設けられており、
前記挿通片を前記貫通孔に挿通した状態で該挿通片と前記ブラケットとを固定する固定手段を備えていることを特徴としている。
この特徴によれば、挿通片が貫通孔に挿入されることで、一対のブラケットと連結部材とが仮固定され、その状態で挿通片と一対のブラケットとが固定手段で固定されることにより、一対のブラケットと連結部材との角部が簡便に且つ強固に連結されるため、棚板を安定して支持できる。
【図面の簡単な説明】
【００１３】
【図１】本発明の実施例における棚装置の構造を示す斜視図である。
【図２】棚部の構成を示す分解斜視図である。
【図３】（ａ）はブラケットの構造を示す上面図、（ｂ）は側面図、（ｃ）は正面図である。
【図４】（ａ）は連結部材の構造を示す上面図、（ｂ）はＡ−Ａ断面図である。
【図５】（ａ）は棚板の構造を示す裏面図、（ｂ）はＢ矢視図、（ｃ）はＣ矢視図である。
【図６】（ａ）は棚板が後退位置にある状態を概略的に示す側断面図、（ｂ）は棚板が前進位置にある状態を概略的に示す側断面図である。
【図７】（ａ）はＤ−Ｄ断面図、（ｂ）はＥ−Ｅ断面図である。
【図８】（ａ）は挿通片を貫通孔に挿入した状態を示す模式図、（ｂ）は（ａ）の状態からブラケットを回転させた状態を示す模式図である。
【図９】（ａ）は図７の（ｂ）の状態からボルトナットを取付けた状態を示す模式図、（ｃ）はボルトナットを締結した状態を示す模式図である。
【図１０】実施例のブラケットの変形例を示す模式図である。
【図１１】実施例の棚部の変形例を示す模式図である。
【図１２】実施例の棚部の変形例におけるフックと係止孔との関係を示す模式図である。
【発明を実施するための形態】
【００１４】
本発明に係る棚装置を実施するための形態を実施例に基づいて以下に説明する。
【実施例】
【００１５】
実施例に係る棚装置につき、図１から図８を参照して説明する。以下、棚装置の棚部側を正面側とし、正面側からみて左右側を棚装置の左右として説明する。
【００１６】
本実施例の棚装置１は、スーパーマーケットやコンビニエンスストア等で商品を陳列する商品陳列棚である。尚、棚装置１は、商品陳列棚に限られず、倉庫などで物品を収納する物品収納棚として利用してもよい。
【００１７】
図１に示されるように、左右に離間する一対の支柱２，２と、支柱２，２の上端部と下端部との対向面同士を連結している横連結杆３，３と、支柱２，２と横連結杆３，３とで構成された矩形状の枠内に固定される背面パネル４と、支柱２，２の前面に支持された上下複数段の棚部５，５，…と、から主に構成されており、各棚部５の上面には物品が陳列可能となっている。支柱２，２は、脚部６，６を有して自立可能となっているとともに、前面には、上下方向に左右２列に並ぶ多数の係合孔７，７，…が設けられている。尚、後に詳述するが、棚部５を構成する棚板５１は、同じく棚部５を構成するブラケット５２上を前後にスライド移動可能となっている。
【００１８】
図２に示されるように、棚部５は、支柱２，２の前面に取付けられる左右一対のブラケット５２，５２と、ブラケット５２，５２の前端部同士を相互に連結する連結部材５３と、ブラケット５２，５２の上部に前後にスライド移動可能に載置される棚板５１と、から主に構成されている。
【００１９】
次に、ブラケット５２の構造を図３に基づいて説明する。尚、ここでは、右側のブラケット５２を説明し、略同一形状である左側のブラケット５２の説明を省略する。
【００２０】
図３に示されるように、ブラケット５２は、金属製の板状部材から構成され、前後方向に延びる板状の垂直部５２ａ（垂直面）と、垂直部５２ａの上端縁から略左方に折れ曲がる水平部５２ｂと、水平部５２ｂの前端側において略下方に折れ曲がる下垂部５２ｃと、下垂部５２ｃの前後略中央部から左方かつ僅かに下方側に延びる傾斜部５２ｄ（挿通片）と、垂直部５２ａの後端に設けられる下向き鉤状のフック５２ｅ，５２ｅ，…と、から主に構成されている。
【００２１】
特に図３（ｃ）に示されるように、傾斜部５２ｄは、下垂部５２ｃの前後略中央部から左下方側に延びており、垂直部５２ａに対して９０度以上（例えば、９５度）傾斜している。また、傾斜部５２ｄの中央部かつ左右方向において下垂部５２ｃとは離れる位置には、上下方向に貫通する挿通孔５２ｆが形成されている。
【００２２】
また、水平部５２ｂの前端部近傍には、摩擦係数が小さい合成樹脂からなる板状の低摩擦部材８ａ（滑子）が固定されている。また、下垂部５２ｃの前端部には、摩擦係数が小さい合成樹脂からなるローラ８ｂが回転可能に取付けられており、ローラ８ｂの上部は水平部５２ｂよりも高い位置かつ低摩擦部材８ａの上面と略同じ高さとなるように配置されている。また、フック５２ｅ，５２ｅ，…は、支柱２，２の前面に設けられた係合孔７，７，…に係止可能となっており、係合孔７，７，…にフック５２ｅ，５２ｅ，…を係止させることでブラケット５２を支柱２，２の前面に片持ち支持できるようになっている（図１及び図２参照）。
【００２３】
次に、連結部材５３の構造を図４に基づいて説明する。図４に示されるように、連結部材５３は、左右方向に延びる金属製の板状部材を折り曲げて形成されている。連結部材５３は、その左右両端部に前後方向に延び板厚方向（上下方向）に貫通して設けられるスリット状の貫通孔５３ａ，５３ａと、貫通孔５３ａ，５３ａよりも左右方向内側に設けられる挿通孔５３ｂ，５３ｂと、連結部材５３の前端縁を後方側に向けて略断面レ字状の鉤状に折り曲げられた前折曲部５３ｃと、連結部材５３の後端縁を前方側に向けて略断面コ字状の鉤状に折り曲げられた後折曲部５３ｄと、を備えている。
【００２４】
図２に示されるように、貫通孔５３ａ，５３ａは、前述したブラケット５２の傾斜部５２ｄおよび下垂部５２ｃの一部を挿通することができるようになっている。また、挿通孔５３ｂは、ブラケット５２の傾斜部５２ｄを貫通孔５３ａ，５３ａに挿入した状態において、傾斜部５２ｄの挿通孔５２ｆと対応するようになっており、挿通孔５３ｂと挿通孔５２ｆとにボルト１０を挿入し、ナット１１で緊締することにより、ブラケット５２と連結部材５３を連結できるようになっている（図９参照）。また、前折曲部５３ｃ及び後折曲部５３ｄは、リブとして機能するため、連結部材５３の強度が簡単な構成で向上している。尚、ブラケット５２と連結部材５３との連結態様については後に詳述する。
【００２５】
次に、棚板５１の構造を説明する。図５及び図６に示されるように、棚板５１は、物品を載置可能な天板部５１ａと、天板部５１ａの裏面側において左右方向に延びる２本の補強杆部５１ｂ，５１ｂと、天板部５１ａの裏面側左右両端に設けられる前後に延びるスライド部５１ｃ，５１ｃと、を主に備えている。
【００２６】
天板部５１ａは、板状の金属部材からなり、左右両端縁が下向きに折り曲げられて側板部５１ｄ，５１ｄを構成しており、後端縁が前方に向かって鉤状に折り曲げられて後折曲部５１ｅを構成している。また、側板部５１ｄ，５１ｄの前端部には、左右方向に延びる梁材５１ｆが架設されている。つまり、天板部５１ａは、側板部５１ｄ，５１ｄ、後折曲部５１ｅ、梁材５１ｆ及び補強杆部５１ｂ，５１ｂにより強度が高くなっている。
【００２７】
スライド部５１ｃ，５１ｃは、補強杆部５１ｂ，５１ｂの下面にねじ固定されている。スライド部５１ｃは、前後方向かつ側板部５１ｄ（図７も参照。）に沿って延びる第１片５１ｇと、前後方向かつ第１片５１ｇの下端から略水平に延びる第２片５１ｈと、前後方向かつ第２片５１ｈの端縁から下方に延びる第３片５１ｊと、を主に備えている。第２片５１ｈの後端は、第１片５１ｇ側の一部が切り起されており、第２片５１ｈから下方に延出する第５片５１ｍと、第５片５１ｍの下端から側板部５１ｄ側に向けて屈曲する第４片５１ｋと、を備え、第５片５１ｍは、第３片５１ｊと略平行を成す。第４片５１ｋの上面には、摩擦係数が小さい合成樹脂からなる板状の低摩擦部材８ｃ（滑子）が固着されている。また、第２片５１ｈにおける第４片５１ｋが形成される切り起こし部よりも前方側の下面には、摩擦係数が小さい合成樹脂からなる板状の低摩擦部材８ｄ（滑子）が固着されている。
【００２８】
図６に示されるように、棚板５１は、後方側に後退する後退位置（図６（ａ）参照）と、前方側へ進出する前進位置（図６（ｂ）参照）と、の間で前後方向に移動可能にブラケット５２，５２に対して取付けられている。棚板５１は、ブラケット５２に取付けられた状態において、ブラケット５２の前端に設けられた低摩擦部材８ａ及びローラ８ｂが第２片５１ｈの下面に接触する。また、棚板５１の後端に設けられた低摩擦部材８ｄがブラケット５２の水平部５２ｂの上面に接触し、低摩擦部材８ｃがブラケット５２の水平部５２ｂの下面に接触する。すなわち、図７（ａ）に示されるように、棚板５１の後端部において、ブラケット５２の水平部５２ｂが低摩擦部材８ｃと低摩擦部材８ｄとで上下から狭持される。
【００２９】
このように、棚板５１とブラケット５２との間には、低摩擦部材８ａ，８ｃ，８ｄが配置されるとともに、ローラ８ｂが棚板５１の動きに合わせて回動するため、摩擦抵抗を小さくして棚板５１をスムーズに前後に動かすことができる。また、ブラケット５２の水平部５２ｂが低摩擦部材８ｃと低摩擦部材８ｄとで上下から狭持されるため、棚板５１を動かすときにブラケット５２から棚板５１が浮き上がることを防止できる。
【００３０】
また、棚板５１の側板部５１ｄは、ブラケット５２の垂直部５２ａの外側面側に配置され、第３片５１ｊがローラ８ｂの内側面側に配置されるため、棚板５１とブラケット５２とが左右方向に相対移動したときに、側板部５１ｄが垂直部５２ａに、第３片５１ｊがローラ８ｂにそれぞれ接触することで棚板５１とブラケット５２との左右方向の相対移動が規制される。
【００３１】
図６（ａ）に示されるように、棚板５１が後退位置にあるときには、ブラケット５２の前端が梁材５１ｆに当接するため、棚板５１がそれ以上後方側に移動することが防止されている。このとき、棚板５１からの荷重は主にローラ８ｂ、低摩擦部材８ａ、８ｄに作用している。また、図６（ｂ）及び図７（ｂ）に示されるように、棚板５１が前進位置にあるときには、棚板５１の第４片５１ｋがブラケット５２の下垂部５２ｃに当接するため、棚板５１がそれ以上前方側に移動することが防止されている。このとき、棚板５１からの荷重は主にローラ８ｂ、低摩擦部材８ａ、８ｃに作用している。
【００３２】
尚、低摩擦部材８ａまたはローラ８ｂのうち一方が設けられていれば、他方の構成を省略してもよい。また、棚板５１の浮き上がりを抑制する観点からは、ブラケット５２の一部（例えば、水平部５２ｂ等）を上下から挟むように低摩擦部材が配置されることが好ましい。つまり、低摩擦部材はブラケット５２の一部を上下から挟むように少なくとも２つ以上設けられていればよい。さらに、低摩擦部材８ｃをローラ８ｂよりも後ろ側に設けているため、ローラ８ｂと低摩擦部材８ｃとの前後方向距離が長い位置関係とされているため、図６（ｂ）に示されるように棚板５１が前進位置にあるときに棚板５１の荷重による作用点となるローラ８ｂと低摩擦部材８ｃに作用する力が過度に大きくならない。
【００３３】
次に、左右一対のブラケット５２，５２と連結部材５３との連結態様について図８及び図９を用いて説明する。尚、左右一対のブラケット５２，５２と連結部材５３との連結態様は同一であるため、右側のブラケット５２と連結部材５３との連結態様のみ説明する。
【００３４】
図８（ａ）に示されるように、先ず、ブラケット５２の垂直部５２ａが横を向くように配置して傾斜部５２ｄを縦向きにし、連結部材５３の貫通孔５３ａに傾斜部５２ｄを挿入する。傾斜部５２ｄを貫通孔５３ａに挿入すると下垂部５２ｃが連結部材５３の上面に接触し、それ以上挿入されることが規制される。
【００３５】
その後、図８（ｂ）に示されるように、ブラケット５２を正面視時計回りに回転させる。ブラケット５２を正面視時計回りに回転させると、垂直部５２ａが連結部材５３の側端縁５３ｘに当接し、傾斜部５２ｄに設けられた挿通孔５２ｆと連結部材５３に設けられた挿通孔５３ｂとが上下方向に連通して位置合わせされるとともに、傾斜部５２ｄ上に連結部材５３が載置される（傾斜部５２ｄが連結部材５３の上板部５３ｅの下方に配置される）。
【００３６】
次いで、上記した状態で支柱２の前面にブラケット５２を係止する（図示略）。これにより、両側の傾斜部５２ｄ，５２ｄ上に載置された状態でブラケット５２，５２の間に連結部材５３が挟まれるため、ブラケット５２，５２と連結部材５３とが仮固定された状態となる。尚、上述のように、垂直部５２ａに対して傾斜部５２ｄが斜め下方向に傾斜しているため、ブラケット５２，５２と連結部材５３とが仮固定された状態にあっては、傾斜部５２ｄの先端部が連結部材５３の上板部５３ｅから若干離間している。
【００３７】
次いで、図９（ａ）に示されるように、上下に連通した挿通孔５２ｆと挿通孔５３ｂとに上方からボルト１０を挿入し、下方からボルト１０に対してナット１１を螺合させる。そして、図９（ｂ）に示されるように、ボルト１０に対してナット１１を緊締すると、連結部材５３の上板部５３ｅと傾斜部５２ｄとを漸次近接させる方向に締結力が働き、該締結力によりブラケット５２が正面視時計回りに回転される。これにより、垂直部５２ａが連結部材５３の側端縁５３ｘに圧接される。また、垂直部５２ａが連結部材５３の側端縁５３ｘ側に移動不能であるため、傾斜部５２ｄと下垂部５２ｃとの角部が屈曲して傾斜部５２ｄが上板部５３ｅに接触し、ブラケット５２と連結部材５３との接続が完了する。
【００３８】
以上説明したように、ブラケット５２の挿通片としての傾斜部５２ｄを連結部材５３の貫通孔５３ａに挿入することで、ブラケット５２と連結部材５３とを簡便に仮固定でき、その状態で傾斜部５２ｄと連結部材５３とを固定手段としてのボルト１０及びナット１１で固定することにより、ブラケット５２と連結部材５３とで成す角部を強固に連結することができるため、棚板５１を前後に動かしてもぐらつかせることなく安定して支持できる。
【００３９】
また、傾斜部５２ｄは、ブラケット５２の垂直部５２ａに対して傾斜しているため、連結部材５３に傾斜部５２ｄを固定することにより、連結部材５３の上板部５３ｅと傾斜部５２ｄとが近づくようになる。これに伴い、ブラケット５２が回転する方向に力が働き、垂直部５２ａが連結部材５３の側端縁５３ｘに圧接され、ブラケット５２と連結部材５３とで成す角部を強固に連結することができる。
【００４０】
また、傾斜部５２ｄと連結部材５３とは、ボルト１０及びナット１１により締結されるため、極めて簡素な構成で連結部材５３にブラケット５２を圧接させることができる。また、ブラケット５２が回転する方向に力を与えて連結部材５３にブラケット５２を圧接させることができるので、ボルト１０及びナット１１の数を減らすことができる。言い換えれば、１組のボルト１０及びナット１１であってもブラケット５２と連結部材５３とを高い強度で接続することができる。
【００４１】
また、傾斜部５２ｄを貫通孔５３ａに挿通した状態でブラケット５２を回転させると、垂直部５２ａが連結部材５３の側端縁５３ｘに当接し、傾斜部５２ｄに設けられた挿通孔５２ｆと連結部材５３に設けられた挿通孔５３ｂが上下方向に連通して位置合わせされるため、位置合わせされた挿通孔５２ｆ及び挿通孔５３ｂにボルト１０を挿通し、ナット１１を緊締することでブラケット５２と連結部材５３との接続を簡便に行うことができる。
【００４２】
また、傾斜部５２ｄは、ブラケット５２から屈曲して延びる屈曲片としての水平部５２ｂ及び下垂部５２ｃを介して延設されている。これによれば、傾斜部５２ｄを貫通孔５３ａに挿通した後、ブラケット５２を回転させることでブラケット５２と連結部材５３とを簡便に仮固定することができる。さらに、棚板５１が載置される水平部５２ｂは、下垂部５２ｃにより連結部材５３よりも上方に配置されるため、ブラケット５２と連結部材５３とをボルト１０及びナット１１で連結した後に、ボルト１０の頭部が棚板５１の移動に干渉することを防止できる。
【００４３】
また、ブラケット５２と連結部材５３とを仮固定した状態にあっては、連結部材５３を傾斜部５２ｄ上に載置できるため、連結部材５３を落下させることなく保持した状態でボルト１０及びナット１１による締結作業を行いやすい。また、ブラケット５２と連結部材５３とを仮固定した状態にあっては、下垂部５２ｃが貫通孔５３ａに挿入されているため、ブラケット５２と連結部材５３との相対移動が規制される。
【００４４】
また、一対のブラケット５２，５２に設けられた傾斜部５２ｄ，５２ｄを連結部材５３に設けられた貫通孔５３ａ，５３ａに挿入する構成であるため、ブラケット５２，５２と連結部材５３とを連結した際に、傾斜部５２ｄ，５２ｄがブラケット５２，５２の外側に露見しないため、美観が向上する。
【００４５】
尚、ブラケットの変形例として次のようなものもある。図１０に示されるように、ブラケット５２’は、前後方向に延びる板状の垂直部５２ａと、垂直部５２ａの上下略中央部から前後方向に沿って略左方に延びる水平部５２ｂ’と、水平部５２ｂ’の前端側において略上方に折れ曲がる立設部５２ｃ’と、立設部５２ｃ’の前後略中央部から左方かつ僅かに上方側に延びる傾斜部５２ｄ’（挿通片）と、を備えている。
【００４６】
図１０（ａ）に示されるように、傾斜部５２ｄ’を貫通孔５３ａの下側から挿入し、正面視反時計回りにブラケット５２’を回転させることにより、垂直部５２ａが連結部材５３の側端縁５３ｘに当接し、傾斜部５２ｄ’に設けられた挿通孔５２ｆと連結部材５３に設けられた挿通孔５３ｂとが上下方向に連通して位置合わせされるとともに、水平部５２ｂ’上に連結部材５３が載置される。
【００４７】
そして、図１０（ｂ）に示されるように、挿通孔５２ｆと挿通孔５３ｂとにボルト１０を挿入し、ボルト１０に対してナット１１を緊締すると、連結部材５３の上板部５３ｅと傾斜部５２ｄ’とを漸次近接させる方向に締結力が働き、該締結力によりブラケット５２が正面視反時計回りに回転される。これにより、垂直部５２ａが連結部材５３の側端縁５３ｘに圧接される。
【００４８】
また、棚部の変形例として次のようなものもある。図１１に示されるように、本変形例における連結部材５３１は、その側端縁５３１ａが前方から見て下方側中央に向けて先細りするように傾斜して形成されている。
【００４９】
図１１（ａ）に示されるように、ブラケット５２の傾斜部５２ｄを連結部材５３の貫通孔５３ａに挿入し、ブラケット５２を正面視時計回りに回転させる。ブラケット５２を正面視時計回りに回転させると、垂直部５２ａが連結部材５３の側端縁５３１ａの上縁に当接し、傾斜部５２ｄに設けられた挿通孔５２ｆと連結部材５３に設けられた挿通孔５３ｂとが上下方向に連通して位置合わせされる。
【００５０】
その後、上記した状態で支柱２の前面にブラケット５２を係止する。このとき、図１２（ａ）に示されるように、ブラケット５２は、フック５２ｅ，５２ｅ，…が略垂直方向に並んだ状態で係合孔７，７，…に係止される。
【００５１】
次いで、上記した状態で支柱２の前面にブラケット５２を係止した後、図１１（ｂ）に示されるように、上下に連通した挿通孔５２ｆと挿通孔５３ｂとに上方からボルト１０を挿入し、下方からボルト１０に対してナット１１を緊締する。これにより、連結部材５３の上板部５３ｅと傾斜部５２ｄとを漸次近接させる方向に締結力が働き、該締結力により垂直部５２ａが側端縁５３１ａに圧接されるまでブラケット５２が前方から見て時計回りに回転される。
【００５２】
このように、垂直部５２ａが側端縁５３１ａに圧接されるまでブラケット５２が回転することにより、図１２（ｂ）に示されるように、フック５２ｅ，５２ｅ，…が傾斜して係合孔７，７，…に係止される。これにより、フック５２ｅ，５２ｅ，…と係合孔７，７，…との左右方向の隙間が小さくなるまたは無くなるため、ブラケット５２が左右方向に係合孔７，７，…内で左右方向に移動することを抑制できる。
【００５３】
また、フック５２ｅ，５２ｅ，…が係合孔７，７，…に接触した状態で、ブラケット５２が回転することにより、ブラケット５２に対して捩じれる方向に力が働くため、金属製のブラケット５２に歪み硬化が生じ、ブラケット５２が左右方向に撓みにくくなる。
【００５４】
以上、本発明の実施例を図面により説明してきたが、具体的な構成はこれら実施例に限られるものではなく、本発明の要旨を逸脱しない範囲における変更や追加があっても本発明に含まれる。
【００５５】
例えば、前記実施例では、一対のブラケット５２，５２に挿通片としての傾斜部５２ｄ，５２ｄが設けられ、連結部材５３に貫通孔５３ａ，５３ａが設けられる形態を例示したが、一対のブラケット５２，５２に貫通孔が設けられ、連結部材５３の両端部に挿通片が設けられていてもよい。
【００５６】
また、前記実施例では、傾斜部５２ｄ，５２ｄを貫通孔５３ａ，５３ａに挿入し、ブラケット５２，５２を回転させることにより、ブラケット５２，５２の垂直部５２ａ，５２ａが連結部材５３の側端縁５３ｘに当接する形態を例示したが、連結部材５３の側端縁５３ｘが垂直部５２ａ，５２ａに当接しないように設計されていてもよい。
【００５７】
また、前記実施例では、固定手段がボルト１０及びナット１１である形態を例示したが、連結部材にネジ孔を設け、該ネジ孔に螺合するネジを固定手段としてもよいし、連結部材と挿通片とをスポット溶接してもよい。
【符号の説明】
【００５８】
１                棚装置
５                棚部
８ａ，８ｃ，８ｄ  低摩擦部材
８ｂ              ローラ
１０              ボルト（ネジ）
５１              棚板
５２              ブラケット
５２ｄ            傾斜部（挿通片）
５２ｆ            挿通孔
５３              連結部材
５３ａ            貫通孔
５３ｂ            挿通孔
【図１】
2019054984.tif 000003
【図２】
2019054984.tif 000004
【図３】
2019054984.tif 000005
【図４】
2019054984.tif 000006
【図５】
2019054984.tif 000007
【図６】
2019054984.tif 000008
【図７】
2019054984.tif 000009
【図８】
2019054984.tif 000010
【図９】
2019054984.tif 000011
【図１０】
2019054984.tif 000012
【図１１】
2019054984.tif 000013
【図１２】
2019054984.tif 000014